(57)【特許請求の範囲】
【請求項１】
上方にスタッドボルトを突出させた基板の上面側に、前記スタッドボルトの周囲空間を取り囲む組付孔部を開口させたプレキャスト床版をパッキンを介在させつつ敷設するための構造であって、
前記プレキャスト床版の上面には、上下に開口された挿通孔を前記スタッドボルトの軸線上に合わせて載置される組付部材と、前記スタッドボルトに連結されて前記組付部材の上面側を押圧する押圧部材とが設けられることを特徴とするプレキャスト床版の敷設構造。
【請求項２】
前記組付部材と前記前記プレキャスト床版とには、両者を固定しておく固定手段が設けられていることを特徴とする請求項１に記載のプレキャスト床版の敷設構造。
【請求項３】
上方にスタッドボルトを突出させた基板の上面側に、前記スタッドボルトの周囲空間を取り囲む組付孔部を開口させたプレキャスト床版をパッキンを介在させつつ敷設するための方法であって、
前記スタッドボルトを前記組付孔部の内側に収容するようにして前記プレキャスト床版を前記基板の上面に載置し、上下に開口された挿通孔を備えた組付部材を前記スタッドボルトの軸線上に前記挿通孔を合わせて前記プレキャスト床版の上面に載置し、前記スタッドボルトに押圧部材を連結して前記組付部材の上面側を押圧した状態で、前記組付孔部の内側に凝固材を注ぎ込んで硬化させることを特徴とするプレキャスト床版の敷設方法。
【発明の詳細な説明】
【０００１】
【発明の属する技術分野】
本発明は、プレキャスト床版の敷設構造に関するものである。
【０００２】
【従来の技術】
例えば道路や建物を建設する場合に床面部分を形成するために、プレストレスを導入したプレキャスト床版が多く使用されるようになっている。プレキャスト床版は、例えば基板となるＨ形鋼の上面に、弾性を備えたパッキンを介在させた状態で敷設される。このとき、隣り合うプレキャスト床版の表面の敷設精度を向上させるために、レベルボルトによってプレキャスト床版を上昇させて、高さ調節を行うことがある。
【０００３】
【発明が解決しようとする課題】
ところが、レベルボルトによる方法では、プレキャスト床版を下降させることができなかった。このため、パッキンが、プレキャスト床版の自重によって、所定の寸法まで縮まないときには、その対処を行うことが困難である。
また、基板に勾配があるところでは、プレキャスト床版同士の位置ずれを規制するために、鉄線やくさび等を用いてプレキャスト床版を固定する操作が行われることもあるが、確実な方法ではなかった。
【０００４】
本発明は、上記した事情に鑑みてなされたものであり、その目的は、プレキャスト床版を下方に調整できる敷設構造または敷設方法を提供することにあり、また他の目的は、勾配がある場所にプレキャスト床版を敷設する場合にも位置ずれすることを規制できるプレキャスト床版の敷設構造または敷設方法を提供することにある。
【０００５】
【課題を解決するための手段】
上記の課題を解決するために請求項１の発明に係るプレキャスト床版の敷設構造は、上方にスタッドボルトを突出させた基板の上面側に、前記スタッドボルトの周囲空間を取り囲む組付孔部を開口させたプレキャスト床版をパッキンを介在させつつ敷設するための構造であって、前記プレキャスト床版の上面には、上下に開口された挿通孔を前記スタッドボルトの軸線上に合わせて載置される組付部材と、前記スタッドボルトに連結されて前記組付部材の上面側を押圧する押圧部材とが設けられることを特徴とする。
【０００６】
請求項２の発明は、請求項１に記載のものであって、前記組付部材と前記プレキャスト床版とには、両者を固定しておく固定手段が設けられていることを特徴とする。
請求項３の発明は、上方にスタッドボルトを突出させた基板の上面側に、前記スタッドボルトの周囲空間を取り囲む組付孔部を開口させたプレキャスト床版をパッキンを介在させつつ敷設するための方法であって、前記スタッドボルトを前記組付孔部の内側に収容するようにして前記プレキャスト床版を前記基板の上面に載置し、上下に開口された挿通孔を備えた組付部材を前記スタッドボルトの軸線上に前記挿通孔を合わせて前記プレキャスト床版の上面に載置し、前記スタッドボルトに押圧部材を連結して前記組付部材の上面側を押圧した状態で、前記組付孔部の内側に凝固材を注ぎ込んで硬化させることを特徴とする。
なお、「凝固材」とは、例えば、セメントやモルタル等のように、初期の状態で液状または泥状であり、時間の経過につれて硬化する材料のことをいう。
【０００７】
【発明の作用、および発明の効果】
請求項１または請求項３の発明によれば、組付孔部をスタッドボルトに挿通させるようにしてプレキャスト床版を基板の上面側に載置する。次に、組付部材の挿通孔をスタッドボルトの軸線上に合わせるようにして載置し、押圧部材とスタッドボルトとを連結させる。押圧部材によって組付部材を押圧すると、組付部材がプレキャスト床版の上面を押圧するので、プレキャスト床版を押し下げながら水平位置を合わせることができる。
また、請求項３の発明によれば、組付孔部の内側に凝固材を注ぎ込んで硬化させた後に、押圧部材や組付部材を取り除いて、再使用することもできる。
【０００８】
請求項２の発明によれば、組付部材とプレキャスト床版とが固定手段によって固定される。このため、プレキャスト床版と基板とが組付部材を介して固定されるので、プレキャスト床版の位置ずれを規制できる。
【０００９】
【発明の実施の形態】
＜第１実施形態＞
次に、本発明の第１実施形態について、図１〜図６を参照しつつ、詳細に説明する。なお、以下の記述において、Ｈ形鋼２の長さ方向を「前後方向」とし、図１においてプレキャスト床版１が隣接する方向を「左右方向」とする。
図１には、プレキャスト床版１をＨ形鋼２（本発明の「基板」に該当する）の上面２Ａに敷設している様子を示した。なお、本実施形態のプレキャスト床版１は、ハーフプレキャスト床版と呼ばれるものであり、プレキャスト床版１が敷設された後には、上面側に生コンクリート１８が積層される。
【００１０】
隣り合う一対のＨ形鋼２の間を架設するようにして、プレキャスト床版１が敷設される。このため、Ｈ形鋼２の上面２Ａには、長さ方向に沿って所定の間隔で左右一対のスタッドボルト３が突設されている。このスタッドボルト３の底部は、Ｈ形鋼２の上面２Ａに溶接されており、外周には雄ネジが設けられている。また、Ｈ形鋼２の上面２Ａには、両側縁部と中央とにＨ字鋼２の長さ方向に延びる計四本のパッキン４が設けられており、このパッキン４が適度に押圧されることで、プレキャスト床版１とＨ形鋼２との間の無収縮モルタル１７が漏れるのを規制している。
プレキャスト床版１の上面には、所定の間隔を隔ててトラス筋５が設けられている。
【００１１】
また、図３に示すように、プレキャスト床版１には、レベルボルト７を組み付け可能なレベル調整孔８が上下に貫通して形成されている。レベル調整孔８の内側には、プレキャスト床版１が形成される段階で、略円筒状のナット部材９が埋め込まれている。ナット部材９の内筒には、レベルボルト７をねじ込み可能な内ネジが設けられている。プレキャスト床版１をＨ形鋼２に敷設した状態で、レベルボルト７を締め込む方向に回転させることで、レベルボルト７の先端が上面２Ａに当接して、プレキャスト床版１を上側に調整することができる。
また、プレキャスト床版１の左右両端部には、所定の間隔を隔てて、スタッドボルト３の周辺を覆いつつ挿通可能な組付孔部６が上下に開口されている。組付孔部６のうち、プレキャスト床版１の前後端部から二つ目のものについては、前後両隣（図３における左右）には、一対の固定用部材１０が埋設されている。固定用部材１０は、略円筒状に形成されており、その中央には後述する固定ボルト１１をねじ込み可能な内ネジを設けた孔部１０Ａが設けられている。
【００１２】
スタッドボルト３には、長ナット１２が組み付けられる。長ナット１２は、スタッドボルト３の突設高さよりも高く組み付けられており、その内部には上下に開口する内ネジが設けられている。
また、プレキャスト床版１の上面からは、三個の孔部６，１０Ａを覆うようにして、組付部材１３が装着される。組付部材１３はＬ字鋼からなり、底面側（プレキャスト床版１の上面に載置される面側）には、三個の挿通孔１３Ａ，１３Ｂが開口されている。このうち、中央の挿通孔１３Ａは、スタッドボルト３の軸線上に配置されて、押圧用ボルト１４が挿通される。また、左右一対の第２挿通孔１３Ｂは、それぞれ固定用部材１０の上方に配置されて、固定ボルト１１が組み付けられる。なお、固定ボルト１１には、座金１６が挿通され、組付部材１３の上面側に配置される。
【００１３】
押圧用ボルト１４には、雄ネジ部１４Ａが設けられており、この雄ネジ部１４Ａには、締め込み用ナット１５が組み付けられている。
次に、上記のように構成された本実施形態の作用および効果について説明する。
まず、Ｈ形鋼２の上面２Ａに、長さ方向に沿って四本のパッキン４を載置しておき、その上からプレキャスト床版１を敷設する。このとき、プレキャスト床版１の組付孔部６の内側に、スタッドボルト３を挿通させておく。
次に、レベル調整孔８に、レベルボルト７を組付ける。このとき、レベルボルト７の先端は、Ｈ形鋼２の上面に軽く当接する程度としておく。
【００１４】
次に、スタッドボルト３に長ナット１２をネジ付けておき、プレキャスト床版１の上面に組付部材１３を載せる。組付部材１３は、三個の挿通孔１３Ａ，１３Ｂをそれぞれ対応する孔部６，１０Ａの軸線上に合わせるようにしておく。ここで、中央の挿通孔１３Ａには、締め込み用ナット１５を組み付けた押圧用ボルト１４をネジ付ける。また、左右両端の第２挿通孔１３Ｂには、座金１６を挿通した固定ボルト１１をネジ付ける。こうして、三本のボルト１１，１４が組み付けられることで、プレキャスト床版１とＨ形鋼２とが、組付部材１３を介して位置決めされ、プレキャスト床版１の位置ずれが規制される。
【００１５】
このようにして、各部材を組み付けた状態で、プレキャスト床版１の高さ位置を調整する。
プレキャスト床版１を上方に調整するには、レベルボルト７を深くネジ込むことにより、レベルボルト７の先端をＨ形鋼２の上面２Ａに当接させることにより行う。
一方、プレキャスト床版１を下方に調整するには、レベルボルト７の差し込み深さを浅くする方向に回しておいてから、締め込み用ナット１５を締め込んで、組付部材１３の上面を押圧する。すると、組付部材１３が組付孔部６の孔縁を押圧することにより、プレキャスト床版１が下方に押し付けられる。
こうして、プレキャスト床版１の敷設が完了したら、他の組付孔部６（組付部材１３が組み付けられていない組付孔部６）の上方から無収縮モルタル１７を流し込んで固め、さらにプレキャスト床版１の上面を生コンクリート１８で覆う。
【００１６】
このように、本実施形態によれば、組付孔部６をスタッドボルト３に挿通させるようにしてプレキャスト床版１をＨ形鋼２の上面側に載置する。次に、組付部材１３の挿通孔１３Ａをスタッドボルト３の軸線上に合わせるようにして載置し、予め締め込み用ナット１５を通しておいた押圧用ボルト１４と、スタッドボルト３とを長ナット１２を介して連結させる。
締め込み用ナット１５によって組付部材１３を押圧すると、組付部材１３がプレキャスト床版１の上面を押圧するので、プレキャスト床版１を押し下げながら水平位置を合わせることができる。また、プレキャスト床版１を下方に移動させることで、パッキン４を所定の厚さまで締め付けることが可能となるため、無収縮モルタル１７の漏れを防止することができる。
また、プレキャスト床版１を下降させることにより、パッキン４を介してプレキャスト床版１の下面とＨ形鋼２の上面とを密着させることができるため、プレキャスト床版１がＨ形鋼２から浮き上がって斜め状に組み付けられることが回避される。このため、プレキャスト床版１の上面を生コンクリート１８で覆ったときに、Ｈ形鋼２の上面から生コンクリート１８の上面までの距離を一定とでき、全体の強度を均一化できる。
なお、無収縮モルタル１７を硬化させた後には、組付部材１３や押圧用ボルト１４を取り除いて、再使用することもできる。
【００１７】
また、プレキャスト床版１は、組付部材１３によって押圧されているので、Ｈ形鋼２によって形成される平面が傾いていたとしても（つまり、プレキャスト床版１を整合させる平面が傾いている場合にも）、組付孔部６とスタッドボルト３との間にある空間内での位置ずれを防止することができる。さらに、本実施形態では、プレキャスト床版１とＨ形鋼２とが、組付部材１３を介して固定されているので、プレキャスト床版１の位置ずれをより確実に規制できやすい。
【００１８】
＜第２実施形態＞
次に、本発明の第２実施形態について、図７および図８を参照しつつ説明する。なお、本実施形態と第１実施形態とにおいて、同一の構成には同一の符号を付して説明を省略する。
本実施形態においては、押圧用ボルト２０の頭部２１が、直接に組付部材１３の上面を押圧するようになっている。
【００１９】
このように構成した第２実施形態においても、第１実施形態と同様の作用および効果を奏することができる。
また、本実施形態では、押圧用ボルト２０を締め付ければ、組付部材１３の上面を押圧することができるので、第１実施形態に比べると、部品点数および組付操作を減少させることができる。
【００２０】
＜第３実施形態＞
次に、本発明の第３実施形態について、図９を参照しつつ説明する。なお、本実施形態において、第１または第２実施形態と同一の構成には同一の符号を付して説明を省略する。
本実施形態では、組付部材１３の中央に、押圧用ボルト２０を組付ける挿通孔１３Ａのみが設けられており、左右の第２挿通孔は設けられない構成とされている。このため、プレキャスト床版１の固定操作が簡単となる。
【００２１】
本実施形態では、押圧用ボルト２０の締付け操作によって、頭部２１が組付部材１３を押圧し、もってプレキャスト床版１を下側に調整することができる。組付部材１３とプレキャスト床版１との間に摩擦力が働くので、Ｈ形鋼２がほぼ水平状態にある場合や、Ｈ形鋼２の傾きがそれほど強くない場合には、この摩擦力によって、プレキャスト床版１の位置ずれを規制することができる。
【００２２】
＜第４実施形態＞
次に、本発明の第４実施形態について、図１０〜図１４を参照しつつ説明する。なお、本実施形態と第２実施形態とにおいて、同一の構成には同一の符号を付して説明を省略する。
本実施形態では、プレキャスト床版３０は、フルプレキャスト床版と呼ばれるものであり、予め必要とされる厚みを備えているのでコンクリートの現場打ちが不要とされる。但し、プレキャスト床版３０の上面には、組付部材１３を組み付けるための長径開口３１、レベルボルト７を挿通するためのボルト用開口３２、およびスタッドボルト３を挿通させるためのボルト用開口３３が開口されている。これらの開口３１，３２，３３は、プレキャスト床版３０を固定した後に、無収縮モルタル１７によって埋められる。
このように構成した第４実施形態においても、第２実施形態と同様の作用および効果を奏することができる。
【００２３】
＜第５実施形態＞
次に、本発明の第５実施形態について、図１５および図１６を参照しつつ説明する。なお、本実施形態と第１実施形態とにおいて、同一の構成には同一の符号を付して説明を省略する。
本実施形態では、一対のプレキャスト床版１が隣接する側縁に、断面略半円形状の凹部４０が設けられている。両プレキャスト床版１が組み付けられることで、一対の凹部４０が整合して、上下に貫通する組付孔部が形成されるようになっている。また、凹部４０よりも内側位置には、固定用部材１０が埋め込まれており、組付部材１３は、両プレキャスト床版１を架設する状態で組み付けられる。
【００２４】
本実施形態によれば、第１実施形態と同様の作用および効果に加え、組付部材１３を介して隣り合う一対のプレキャスト床版１が固定されるので、プレキャスト床版１の位置ずれが、より規制できる。
【００２５】
＜第６実施形態＞
次に、本発明の第６実施形態について、図１７を参照しつつ説明する。なお、第１実施形態と同一の構成には、同一の符号を付して説明を省略する。
本実施形態によっても、第１実施形態と同様の効果を奏することができる。また、本実施形態では、Ｈ形鋼２の上面に固定されているスタッドボルト５０は、プレキャスト床版１の上面位置よりも高い位置まで突設されている。このため、スタッドボルト５０に締め込み用ナット５１を締め付けることにより、組付部材１３を押圧することができる。
【００２６】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記した実施形態では、組付部材１３は固定ボルト１１と固定用部材１０とによって、プレキャスト床版１に固定されているが、本発明によれば、「固定手段」は、ボルトでなくてもよく、例えば釘等のように外周にネジ部を備えていないものをプレキャスト床版に設けられた孔部に押し入れるようにしてもよく、またプレキャスト床版からボルトを突設させておき、組付部材の上面からナットを組付ける構成としてもよい。
【００２７】
（２）上記した実施形態では、プレキャスト床版１は、ビル等の通常の建築物に使用されているが、本発明によれば、この他にも、たとえば道路の箱桁を閉止するためのプレキャスト床版を敷設する構造にも用いることができる。また、特に道路の箱桁に用いた場合には、カーブ付近において基板が傾きを備えている場合に、位置ずれ防止機能が有効となる。
【図面の簡単な説明】
【図１】第１実施形態において、プレキャスト床版をＨ形鋼に敷設したときの斜視図
【図２】第１図における円Ｒ内の部分拡大図
【図３】プレキャスト床版を敷設する前の側断面図
【図４】プレキャスト床版を敷設した後の側断面図
【図５】図４におけるＡ−Ａ線断面図
【図６】図４におけるＢ−Ｂ線断面図
【図７】第２実施形態におけるプレキャスト床版の敷設構造の側断面図
【図８】図７におけるＣ−Ｃ線断面図
【図９】第３実施形態におけるプレキャスト床版の敷設構造の側断面図
【図１０】第４実施形態において、プレキャスト床版をＨ形鋼に敷設したときの斜視図
【図１１】第１０図における円Ｓ内の部分拡大図
【図１２】プレキャスト床版の敷設構造の側断面図
【図１３】図１２におけるＤ−Ｄ線断面図
【図１４】図１２におけるＥ−Ｅ線断面図
【図１５】第５実施形態において、隣り合うプレキャスト床版同士を固定する場合の構造を示す斜視図
【図１６】図１５におけるＦ−Ｆ線断面図
【図１７】第６実施形態におけるプレキャスト床版の敷設構造の側断面図
【符号の説明】
１…プレキャスト床版
２…Ｈ形鋼（基板）
３，５０…スタッドボルト
４…パッキン
６…組付孔部
１０…固定用部材（固定手段）
１１…固定ボルト（固定手段）
１２…長ナット（押圧部材）
１３…組付部材
１３Ａ…挿通孔
１４，２０…押圧用ボルト（押圧部材）
１５，５１…締め込み用ナット（押圧部材）
１７…無収縮モルタル（凝固材）
【図１】
0004211906.tif 000002
【図２】
0004211906.tif 000003
【図３】
0004211906.tif 000004
【図４】
0004211906.tif 000005
【図５】
0004211906.tif 000006
【図６】
0004211906.tif 000007
【図７】
0004211906.tif 000008
【図８】
0004211906.tif 000009
【図９】
0004211906.tif 000010
【図１０】
0004211906.tif 000011
【図１１】
0004211906.tif 000012
【図１２】
0004211906.tif 000013
【図１３】
0004211906.tif 000014
【図１４】
0004211906.tif 000015
【図１５】
0004211906.tif 000016
【図１６】
0004211906.tif 000017
【図１７】
0004211906.tif 000018